(57)【特許請求の範囲】
【請求項１】
発信した発信先である発信電話番号を表す発信履歴データを記憶した携帯電話機と接続されることで、ハンズフリー通話を可能とする車載ハンズフリー装置であって、
前記発信履歴データを表示する表示手段と、
前記携帯電話機に対して発信指示を行う操作手段とを有し、
前記携帯電話機に記憶された前記発信履歴データの転送を実現するための転送プロトコルにて、前記携帯電話機と通信し、前記携帯電話機から前記発信履歴データを受信し、この受信後に当該転送プロトコルでの通信を切断し、この切断後に前記携帯電話機によるハンズフリー通話を実現するためのハンズフリープロトコルでの通信が接続された状態において、
前記操作手段によって発信指示があった後、前記発信履歴データの表示要求が発生した場合には、前記発信指示での発信先の電話番号を表す自己発信履歴データを、前記転送プロトコルにより転送された前記発信履歴データよりも、発信日時が最新として前記表示手段に表示させる表示制御手段とを有することを特徴とする車載ハンズフリー装置。
【請求項２】
前記転送プロトコルにより転送された前記発信履歴データは、複数のデータからなり、当該複数のデータは、それぞれ発信日時を表す発信日時データを有し、
前記発信履歴データは、発信順が識別可能な形式で前記携帯電話機から送信され、前記表示制御手段は、受信した前記発信日時データを表示順を決定するために用いずに、前記形式に従って発信順に前記表示手段に表示させることを特徴とする請求項１記載の車載ハンズフリー装置。
【請求項３】
前記転送プロトコルにより転送された前記発信履歴データは、複数のデータからなり、複数のデータは、それぞれ発信日時を表す発信日時データを有し、
前記表示制御手段は、前記複数のデータを前記表示手段に表示させる場合には、発信日時順に表示させるとともに、前記自己発信履歴データを必ず前記複数のデータよりも、発信日時を最新として表示させることを特徴とする請求項１記載の車載ハンズフリー装置。
【請求項４】
前記自己発信履歴データの発信日時は、ＧＰＳ衛星からＧＰＳ装置が受信したＧＰＳ無線信号からＧＰＳ日時情報を抽出して取得した日時であることを特徴とする請求項１に記載の車載ハンズフリー装置。
【請求項５】
着信した着信先である着信電話番号を表す着信履歴データを記憶した携帯電話機と接続されることで、ハンズフリー通話を可能とする車載ハンズフリー装置であって、
前記着信履歴データを表示する表示手段と、
前記携帯電話機に記憶された前記着信履歴データの転送を実現するための転送プロトコルにて、前記携帯電話機と通信し、前記携帯電話機から前記着信履歴データを受信し、この受信後に当該転送プロトコルでの通信を切断し、この切断後に前記携帯電話機によるハンズフリー通話を実現するためのハンズフリープロトコルでの通信が接続された状態において、
前記携帯電話機に対して新たな着信があった場合、前記ハンズフリープロトコルでの通信で通知された、当該着信の着信元である着信電話番号を新着信履歴データとして受信し、この受信後に、この新着信履歴データの表示要求が発生した場合には、この新着信履歴データを、前記転送プロトコルにより転送された前記着信履歴データよりも、着信日時が最新として前記表示手段に表示させる表示制御手段とを有することを特徴とする車載ハンズフリー装置。
【請求項６】
前記転送プロトコルにより転送された前記着信履歴データは、複数のデータからなり、当該複数のデータは、それぞれ着信日時を表す着信日時データを有し、
前記着信履歴データは、着信順が識別可能な形式で前記携帯電話機から送信され、前記表示制御手段は、受信した前記着信日時データを表示順を決定するために用いずに、前記形式に従って着信順に前記表示手段に表示させることを特徴とする請求項５記載の車載ハンズフリー装置。
【請求項７】
前記転送プロトコルにより転送された前記着信履歴データは、複数のデータからなり、複数のデータは、それぞれ着信日時を表す着信日時データを有し、
前記表示制御手段は、前記複数のデータを前記表示手段に表示させる場合には、着信日時順に表示させるとともに、前記自己着信履歴データを必ず前記複数のデータよりも、着信日時を最新として表示させることを特徴とする請求項５記載の車載ハンズフリー装置。
【請求項８】
前記自己着信履歴データの着信日時は、ＧＰＳ衛星からＧＰＳ装置が受信したＧＰＳ無線信号からＧＰＳ日時情報を抽出して取得した日時であることを特徴とする請求項５に記載の車載ハンズフリー装置。
【請求項９】
着信した着信元である着信電話番号と着信日時からなる着信履歴データおよび発信した発信先である発信電話番号と発信日時からなる発信履歴データを記憶した携帯電話機と無線接続されることで、ハンズフリー通話を可能とさせる車載ハンズフリー装置であって、
前記携帯電話機が無線接続エリアに存在する場合に、前記携帯電話機に記憶された前記着信履歴データおよび前記発信履歴データの転送を実現するための転送プロトコルでの通信を実行する転送プロトコル制御手段と、
前記転送プロトコルでの通信にて、前記携帯電話機から発信履歴データおよび着信履歴データを受信するデータ受信手段と、
前記受信した発信履歴データおよび着信履歴データを記憶するデータ記憶手段と、を備え、
前記発信履歴データ及び着信履歴データを含む全履歴データを表示する場合は、前記発信履歴データに含まれる発信日時と、前記着信履歴データに含まれる着信日時とを比較し、日時が最新の方を最新データとして表示し、
前記発信日時と前記着信日時とが同じである場合は、発信を着信より最新として表示する表示制御手段を有することを特徴とする車載ハンズフリー装置。
【請求項１０】
着信した着信元である着信電話番号と着信日時からなる着信履歴データおよび発信した発信先である発信電話番号と発信日時からなる発信履歴データを記憶した携帯電話機と無線接続されることで、ハンズフリー通話を可能とさせる車載ハンズフリー装置であって、
前記携帯電話機が無線接続エリアに存在する場合に、前記携帯電話機に記憶された前記着信履歴データおよび前記発信履歴データの転送を実現するための転送プロトコルでの通信を実行する転送プロトコル制御手段と、
前記転送プロトコルでの通信にて、前記携帯電話機から発信履歴データおよび着信履歴データを受信するデータ受信手段と、
前記受信した発信履歴データおよび着信履歴データを記憶するデータ記憶手段と、を備え、
前記発信履歴データ及び着信履歴データを含む全履歴データを表示する場合は、前記発信履歴データに含まれる発信日時と、前記着信履歴データに含まれる着信日時とを比較し、日時が最新の方を最新データとして表示し、
前記発信日時と前記着信日時とが同じである場合は、着信を発信より最新として表示するする表示制御手段を有することを特徴とする車載ハンズフリー装置。
【請求項１１】
前記発信履歴データは、発信順が識別可能な形式で前記携帯電話機から送信され、
前記表示制御手段は、前記発信履歴データを表示する場合、受信した前記発信日時データを表示順を決定するために用いずに、前記形式に従って発信順に前記表示手段に表示させることを特徴とする請求項９又は１０に記載の車載ハンズフリー装置。
【請求項１２】
前記着信履歴データは、着信順が識別可能な形式で前記携帯電話機から送信され、
前記表示制御手段は、前記着信履歴データを表示する場合、受信した前記着信日時データを表示順を決定するために用いずに、前記形式に従って着信順に前記表示手段に表示させることを特徴とする請求項９又は１０に記載の車載ハンズフリー装置。
【発明の詳細な説明】
【技術分野】
【０００１】
本発明は、携帯電話機が近距離通信圏内にあるときに当該携帯電話機との間で通信回線を確立する車載ハンズフリー装置およびデータ転送方法に関する。
【背景技術】
【０００２】
電話番号と登録名との対応を表す電話帳データを携帯電話機が車載ハンズフリー装置に自動転送する構成として、例えばユーザが携帯電話機を携帯して車両に乗り込み、携帯電話機が車載ハンズフリー装置の近距離通信圏内に進入すると、携帯電話機と車載ハンズフリー装置とが通信回線を確立し、携帯電話機が電話帳データを車載ハンズフリー装置に自動転送するものがある。このものによれば、ユーザは、車載ハンズフリー装置を操作することにより、携帯電話機の電話帳データのうちから所望の電話番号を選択して発信することができる（例えば特許文献１参照）。
【先行技術文献】
【特許文献】
【０００３】
【特許文献１】特開２００２−１９３０４６号公報
【発明の概要】
【発明が解決しようとする課題】
【０００４】
ところで、電話帳データの自動転送を規定するのみならず、発信履歴データや着信履歴データの自動転送を規定する携帯電話機が考えられている。例えば、Ｂｌｕｅｔｏｏｔｈ（登録商標）では、車載ハンズフリー装置で、着信を受けたり、発信を行うためのハンズフリープロファイル（ＨＦＰ）以外に、電話帳データ、上記発信履歴データや着信履歴データの車載ハンズフリー装置への送信に対応するため、新たなプロファイル（ＰＢＡＰ）が検討されている。
【０００５】
本発明の第１の目的は、転送プロトコルでの通信により、発信履歴データ、着信履歴データの転送がなされた後で、当該転送プロトコル切断された以降に、発信履歴データ、着信履歴データを転送プロトコルで受信することができなくなった場合においても、その後新たに着信、発信あった場合に、実際の発信順、着信順に表示することを可能とすることであり、第２の目的は、電話帳データ、発信履歴データおよび着信履歴データの転送を行う際に、データの転送順をデータの更新頻度を考慮して行うことであり、第３の目的は、転送するデータ量を低減できることを可能とすることであり、第４の目的は、発信履歴データ及び着信履歴データを含む全履歴データを表示する場合にユーザに違和感を抱かせにくいようにすることである。
【課題を解決するための手段】
【０００６】
そこで、請求項１に係る発明では、携帯電話機に記憶された発信履歴データの転送を実現するための転送プロトコルにて、携帯電話機と通信し、携帯電話機から発信履歴データを受信し、この受信後に当該転送プロトコルでの通信を切断し、この切断後に携帯電話機によるハンズフリー通話を実現するためのハンズフリープロトコルでの通信が接続された状態において、操作手段によって発信指示があった後、発信履歴データの表示要求が発生した場合には、発信指示での発信先の電話番号を表す自己発信履歴データを、転送プロトコルにより転送された発信履歴データよりも、発信日時が最新として表示手段に表示させる表示制御手段とを有する。
【０００７】
また、請求項５に係る発明は、携帯電話機に記憶された着信履歴データの転送を実現するための転送プロトコルにて、携帯電話機と通信し、携帯電話機から着信履歴データを受信し、この受信後に当該転送プロトコルでの通信を切断し、この切断後に携帯電話機によるハンズフリー通話を実現するためのハンズフリープロトコルでの通信が接続された状態において、携帯電話機に対して新たな着信があった場合、ハンズフリープロトコルでの通信で通知された、当該着信の着信元である着信電話番号を新着信履歴データとして受信し、この受信後に、この新着信履歴データの表示要求が発生した場合には、この新着信履歴データを、転送プロトコルにより転送された着信履歴データよりも、着信日時が最新として表示手段に表示させる表示制御手段とを有する。
【０００８】
ここで、転送プロトコルでの通信により、発信履歴データ、着信履歴データの転送がなされた後、ハンズフリープロトコルでの通信に切り替えるため、それ以後の発信履歴データ、着信履歴データを転送プロトコルで受信することができなくなる。そこで、本請求項では、車載ハンズフリー装置で、新たな発信履歴データ、新たな着信履歴データを得ることが可能な点に着目し、かつ新たな発信履歴データ、新たな着信履歴データを、転送プロトコルで受信したデータより最新のデータとして表示するので、使用者の実際の発信順、着信順に表示することが可能となる。
【００１３】
また、請求項９に係る発明は、携帯電話機が無線接続エリアに存在する場合に、携帯電話機に記憶された着信履歴データおよび発信履歴データの転送を実現するための転送プロトコルでの通信を実行する転送プロトコル制御手段と、転送プロトコルでの通信にて、携帯電話機から発信履歴データおよび着信履歴データを受信するデータ受信手段と、受信した発信履歴データおよび着信履歴データを記憶するデータ記憶手段と、を備え、発信履歴データ及び着信履歴データを含む全履歴データを表示する場合は、発信履歴データに含まれる発信日時と、着信履歴データに含まれる着信日時とを比較し、日時が最新の方を最新データとして表示し、発信日時と着信日時とが同じである場合は、発信を着信より最新として表示するする表示制御手段を有する。
【００１４】
また、請求項１０に係る発明では、携帯電話機が無線接続エリアに存在する場合に、携帯電話機に記憶された着信履歴データおよび発信履歴データの転送を実現するための転送プロトコルでの通信を実行する転送プロトコル制御手段と、転送プロトコルでの通信にて、携帯電話機から発信履歴データおよび着信履歴データを受信するデータ受信手段と、受信した発信履歴データおよび着信履歴データを記憶するデータ記憶手段と、を備え、発信履歴データ及び着信履歴データを含む全履歴データを表示する場合は、発信履歴データに含まれる発信日時と、着信履歴データに含まれる着信日時とを比較し、日時が最新の方を最新データとして表示し、発信日時と着信日時とが同じである場合は、着信を発信より最新として表示する表示制御手段を有する。
【００１５】
このようにすれば、ユーザに違和感を抱かせにくくすることができる。
【図面の簡単な説明】
【００１６】
【図１】本発明の一実施形態を示す機能ブロック図
【図２】フローチャート（その１）
【図３】発信履歴データを示す図
【図４】着信履歴データを示す図
【図５】不在着信履歴データを示す図
【図６】発信履歴データ、着信履歴データ、不在着信履歴データおよび全履歴データを示す図
【図７】フローチャート（その２）
【図８】フローチャート（その３）
【図９】図３相当図
【図１０】図４相当図
【図１１】発信履歴による発信操作を行う場合の表示画面の遷移を示す図
【図１２】着信履歴による発信操作を行う場合の表示画面の遷移を示す図
【図１３】電話帳による発信操作を行う場合の表示画面の遷移を示す図
【図１４】電話帳データを示す図
【図１５】フローチャート（その４）
【図１６】図１２相当図
【発明を実施するための最良の形態】
【００１７】
以下、本発明を、Ｂｌｕｅｔｏｏｔｈ通信機能を有するハンズフリー機能付き車載ナビゲーション装置（以下、車載ナビゲーション装置と称する）に適用した一実施形態について、図面を参照して説明する。図１は、車載ナビゲーション装置にあって発明の要部を機能ブロック図として示している。車載ナビゲーション装置１は、制御部２、Ｂｌｕｅｔｏｏｔｈ通信部３（近距離通信手段）、操作部４、表示部５、作業メモリ６、記憶メモリ７、マイクロホン８およびスピーカ９を備えて構成されている。
【００１８】
制御部２は、本発明でいう制御手段、判定手段、表示制御手段、転送プロトコル制御手段、転送プロトコル切断手段、ハンズフリープロトコル制御手段、初期ハンズフリープロトコル通信手段、通信維持手段、電話帳転送設定手段、データ転送指定手段および手動転送プロトコル指示手段であって、車載ナビゲーション装置１の通信動作やデータ管理動作などの動作全般を制御する。Ｂｌｕｅｔｏｏｔｈ通信部３は、本発明でいう発信履歴データ受信手段、着信履歴データ受信手段およびデータ受信手段であって、特に近距離無線通信手段であるＢｌｕｅｔｏｏｔｈ方式に対応した、Ｂｌｕｅｔｏｏｔｈ通信機能付き携帯電話機（以下、携帯電話機と称する）１０がＢｌｕｅｔｏｏｔｈ無線通信圏内に存在していれば、そのＢｌｕｅｔｏｏｔｈ無線通信圏内に存在している携帯電話機１０との間で無線通信回線を確立してＢｌｕｅｔｏｏｔｈの通信規格に準拠した通信を行う。
【００１９】
本例でのＢｌｕｅｔｏｏｔｈ通信部３は、ハンズフリー通話を行うための周知のＨＦＰ（Ｈａｎｄｓ  Ｆｒｅｅ  Ｐｒｏｆｉｌｅ）および、電話帳データの転送、発着信履歴データの転送を行うためのＰＢＡＰ（Ｐｈｏｎｅ  Ｂｏｏｋ  Ａｃｃｅｓｓ  Ｐｒｏｆｉｌｅ）に対応している。これらプロファイルは、
機能毎に定義された通信プロトコルを意味している。
【００２０】
携帯電話機１０は、周知のように単独（ハンズフリー機器たる車載ナビゲーション装置１との間でＨＦＰを接続していない状態）では、携帯電話網の基地局（図示せず）と携帯電話回線を確立して電話の発信処理および着信処理を単独で行うことが可能に構成されている。この場合、携帯電話機１０は、発信処理としては例えばユーザがダイアルキー（「０」〜「９」の数字キー）（図示せず）を操作して発信先の電話番号を入力し、続いて発信キー（図示せず）を操作すると、当該電話番号を発信先として発信することでき、発信先の携帯電話機との間で通話を行うことが可能となる。
【００２１】
また、携帯電話機１０は、着信処理としては発信元の携帯電話機が当該携帯電話機１０を発信先として発信したことに応じて基地局から着信信号を受信すると、基地局から発信元の携帯電話機の電話番号を着信電話番号として受信し、ユーザが受話キー（図示せず）を操作すると、発信元の携帯電話機に応答することができ、発信元の携帯電話機との間で通話を行うことが可能となる。
【００２２】
また、携帯電話機１０は、日時（日付時刻）を計時する時計部（図示せず）を有しており、上記した発信処理でダイアルキーから入力した発信電話番号と時計部が計時している日時に基づく発信日時との対応を１件分のデータとして複数件分の発信履歴データを記憶保持している。また、携帯電話機１０は、上記した着信処理で基地局から受信した着信電話番号と時計部が計時している日時に基づく着信日時との対応を１件分のデータとして複数件分の着信履歴データを記憶保持している。
【００２３】
また、携帯電話機１０は、着信に対して応答しなかったときに基地局から受信した着信電話番号と時計部が計時している日時に基づく着信日時との対応を１件分のデータとして複数件分の不在着信履歴データを記憶保持している。さらに携帯電話機１０は、電話番号と登録名との対応を１件分のデータとして複数件分の電話帳データを保持している。電話帳データとは、ユーザが電話番号と登録名とを入力し、これら電話番号と登録名とを対応付けて例えば５００件程度、不揮発性メモリ（図示せず）に記憶させておくものである。
【００２４】
ここで、電話帳データを保有している場合、上記発信履歴データ、着信履歴データには、上記登録名が含まれる。具体的には、基地局から受信した着信電話番号が電話帳データに登録された電話番号であり、この電話番号に登録名が電話帳データに登録されているかチェックし、存在する場合には、着信履歴データは、電話番号と、着信日時と、登録名とから構成される。不在着信履歴データも、同様な処理で、電話番号と、着信日時と、その登録名とからなる。発信履歴データも、上記発信処理で発信された電話番号が、電話帳データに登録された電話番号であるかチェックし、存在する場合は、発信日時と、発信電話番号と、その登録名とから構成される。
【００２５】
そして、ユーザは、電話帳データを読出して１つの電話番号を選択して発信することにより、電話番号を構成する数字に対応する全ての数字キーを一々入力しなくとも簡単な操作で間違いなく発信することができる。尚、携帯電話機１０は、これら発信履歴データや着信履歴データや不在着信履歴データをそれぞれ例えば最新の２０件分を記憶可能であり、発信処理や着信処理や不在着信を行う毎に最古のデータを自動的に消去し、発信履歴データや着信履歴データや不在着信履歴データを更新する。そして、携帯電話機１０は、ハンズフリー通話を行うための周知のＨＦＰおよび、電話帳データの転送、発着信履歴データの転送を行うためのＰＢＡＰに対応している。
【００２６】
携帯電話機１０が、発着信履歴データの自動転送を規定しているＰＢＡＰに対応している場合には、Ｂｌｕｅｔｏｏｔｈ通信部３との間で通信回線を確立した直後にＰＢＡＰを接続し、その時点で記憶している電話帳データを自動転送し、さらに、その時点で記憶している発信履歴データや着信履歴データや不在着信履歴データを自動転送する。これにより、携帯電話機１０は、車載ナビゲーション装置１がＢｌｕｅｔｏｏｔｈ通信圏内に存在している場合には、単独で過去に発信処理を行って記憶した最大で２０件分の発信履歴データや単独で過去に着信処理を行って記憶した最大で２０件分の着信履歴データや単独で過去に不在着信処理を行って記憶した最大で２０件分の不在着信履歴データを車載ナビゲーション装置１に自動転送する。
【００２７】
操作部４は、ユーザが操作するための本発明でいう操作手段であって、例えば表示部５に形成されるタッチキーから構成され、ユーザの操作を検出し、その操作内容を表す操作信号を制御部２に出力する。表示部５は、本発明でいう表示手段であって、制御部２から表示信号を入力すると、その入力した表示信号に基づいて表示画面を表示し、図１１（ａ）および図１２（ａ）に示すように、例えばユーザが電話番号を入力する表示画面として「０」〜「９」に対応したダイアルキーが配列された表示画面を表示する。
【００２８】
作業メモリ６は、本発明でいう発信履歴データ記憶手段、着信履歴データ記憶手段およびデータ記憶手段であって、揮発性のメモリから構成される。作業メモリ６は、携帯電話機１０からユーザが何ら操作することなく自動転送された発信履歴データ、着信履歴データ、不在着信履歴データおよび電話帳データを記憶する。この場合、作業メモリ６は、これら発信履歴データや着信履歴データや不在着信履歴データをそれぞれ例えば５件分を記憶可能である。記憶メモリ７は、不揮発性のメモリから構成され、各種データを記憶する。
【００２９】
この場合、制御部２は、ユーザが発信履歴データの表示要求を操作部４にて行うと、作業メモリ６に記憶されている発信履歴データを表示部４に表示させ、ユーザが着信履歴データの表示要求を操作部４にて行うと、作業メモリ６に記憶されている着信履歴データを表示部４に表示させ、ユーザが電話帳データの表示要求を操作部４にて行うと、作業メモリ６に記憶されている電話帳データを表示部４に表示させる。尚、本実施形態の車載ナビゲーション装置１では、上記したように作業メモリ６に記憶される発信履歴データおよび着信履歴データはそれぞれ５件であり、表示部４に表示される最大表示件数もそれぞれ５件である（図１１（ｂ），（ｃ）および図１２（ｂ），（ｃ）参照）。
【００３０】
マイクロホン８は、音声を入力する音声入力手段であって、携帯電話機１０を用いたハンズフリー通話を行うときに、ユーザが発した音声を入力し、スピーカ９は、音声出力手段であって、携帯電話機１０を用いたハンズフリー通話を行うときに、通話相手の受話音声を出力する。すなわち、Ｂｌｕｅｔｏｏｔｈ通信部３と携帯電話機１０との間でＢｌｕｅｔｏｏｔｈ通信回線を確立してＨＦＰでの無線通信を接続すると、制御部２は、マイクロホン８が入力した音声をＢｌｕｅｔｏｏｔｈ通信部３から携帯電話機１０に送信させて携帯電話機１０から携帯電話網に送信させると共に、携帯電話機１０が携帯電話網から受信した音声を携帯電話機１０からＢｌｕｅｔｏｏｔｈ通信部３に受信させてスピーカ９から出力させる。
【００３１】
尚、上記した車載ナビゲーション装置１は、図示した機能ブロックの他に、自車両の現在位置を検出する現在位置検出部としてのＧＰＳ装置、現在位置から目的地までの経路を探索する経路探索部、地図データが記録さている記録媒体から地図データを読取る地図データ読取部、ＶＩＣＳ（登録商標）センターから配信されたＶＩＣＳ情報を受信するＶＩＣＳ情報受信部、ユーザが発した音声を音声認識する音声認識部などのナビゲーション動作に必要な機能ブロックをも備えて構成されている。
【００３２】
この場合、車載ナビゲーション装置１は、ＧＰＳ衛星からＧＰＳ装置が受信したＧＰＳ無線信号からＧＰＳ日時情報を抽出して日時を取得し、その取得した日時を発信日時や着信日時として利用する。尚、このＧＰＳ日時情報から抽出した日時は、ＧＰＳの絶対日時であり、精度が極めて高い日時である。
【００３３】
上記した車載ナビゲーション装置１は、ＡＣＣスイッチ（車両機器への電源供給をオンオフするスイッチ）のオンオフに連動して起動・停止するように構成されている。車載ナビゲーション装置１は、例えばユーザが操作したことに応じてＡＣＣスイッチがオンからオフに切替わると、電源供給が停止され、この結果、装置電源がオンからオフに移行する。この場合、その直前に記憶メモリ７に記憶されている各種データは消去されないが（記憶保持されるが）、その直前に作業メモリ６に記憶されている発信履歴データ、着信履歴データ、不在着信履歴データおよび電話帳データは消去されるように構成されている。
【００３４】
次に、上記した構成の作用について、図２ないし図１６を参照して説明する。尚、ここでは、携帯電話機１０は、最大記憶可能件数である２０件分の発信履歴データ、最大記憶可能件数である２０件分の着信履歴データ、最大記憶可能件数である２０件分の不在着信履歴データを既に保持（記憶）しており、この状態で、携帯電話機１０を携帯するユーザが車両に近づいて車内に乗り込み、上記ＡＣＣスイッチがオンされることで、携帯電話機１０が車載ナビゲーション装置１のＢｌｕｅｔｏｏｔｈ通信圏内に進入したことを前提として説明する。
【００３５】
最初に、車載ナビゲーション装置１において、制御部２が携帯電話機１０から発信履歴データ、着信履歴データ、不在着信履歴データおよび電話帳データを受信する手順について、図２を参照して説明する。尚、ユーザは、車載ナビゲーション装置１にて、Ｂｌｕｅｔｏｏｔｈ通信の相手となる携帯電話機１０を予め登録している。例えば、これには初期通信設定時に、携帯電話機毎に４桁のパスワードを入力し、車載ナビゲーション装置１または携帯電話機１０がお互いのみ知るリンクキー生成し、これをお互いで保持登録しておく。そして、初期接続時にリンクキーの認証を行うことで、通信接続すべき携帯電話機１０を選択している。つまり、未登録の携帯電話機は、ＨＦＰでの通信接続およびＰＢＡＰでの通信接続が行われることは無く、基本的に、その車の所有者の携帯電話機が事前登録され、ＨＦＰでの無線通信通信およびＰＢＡＰでの無線通信が行われることとなる。
【００３６】
本例では、車載ナビゲーション装置１には、通信接続対象となる複数の携帯電話機１０が登録されており、さらに、複数の携帯電話機１０に対して例えば操作部４を操作して優先順位を予め設定しており、制御部２は当該優先順位を記憶している。例えば、これは、ドライバーによっては、複数の携帯電話機を所有している場合があるからである。
【００３７】
本例の前提として、車載ナビゲーション装置１のＢｌｕｅｔｏｏｔｈ通信部３は、ＨＦＰでの無線通信、ＰＢＡＰでの無線通信の両プロトコルに対応し、且つ、これらを二つのプロファイルを同時接続（マルチプロファイル接続）に接続することができる。しかし、あえて、この同時接続処理を行わないようにしている。この理由としては、主として以下の３つが挙げられる。
（１）通信相手である携帯電話機１０が、車載ナビゲーション装置１と同様に、ＨＦＰでの無線通信とＰＢＡＰでの無線通信には対応しているものの、同時接続には対応していない可能性があること。
（２）通信相手である携帯電話機１０が、ＨＦＰでの無線通信とＰＢＡＰでの無線通信には対応し、かつ同時接続にも対応しているかもしれないが、同時接続を維持するためには、車載ナビゲーション装置１のＢｌｕｅｔｏｏｔｈ通信部３のソフトウエア処理が複雑になり、通信接続の安定性に不安があること。
（３）携帯電話機１０は、世界で多数のメーカーが製造しており、車載ナビゲーション装置１としては、ＨＦＰでの無線通信およびＰＢＡＰでの無線通信に対応した全ての携帯電話機と接続することが求められること。
【００３８】
以上の理由のため、本例での車載ナビゲーション装置１は、ＨＦＰでの無線通信、ＰＢＡＰでの無線通信ための、より確実な処理手順として、ＨＦＰでの無線通信とＰＢＡＰでの無線通信との同時接続をできる限り無くすため、ＨＦＰでの無線通信とＰＢＡＰでの無線通信とは時間的に分割したシリアル接続を行う。
【００３９】
説明に戻ると、制御部２は、優先順位が上位の携帯電話機１０をＨＦＰでの無線通信での通信接続対象として選択する（ステップＳ１）。ここで、本例では、最初にＰＢＰでの通信接続を行わずに、先ずはＨＦＰでの初期通信を自動的に試み、接続を開始する。この理由は、後述する。
【００４０】
次に、制御部２は、その選択した携帯電話機１０に対してＨＦＰでの初期通信を自動的に接続し（ステップＳ２）、ＨＦＰでの無線通信接続に成功したか否かを判定する（ステップＳ３）。ここで、制御部２は、ＨＦＰでの無線通信接続に成功した旨を判定すると（ステップＳ３にて「ＹＥＳ」）、直ちに、その接続しているＨＦＰでの無線通信を自動的に切断し（ステップＳ４）、そのＨＦＰでの無線通信接続に成功した携帯電話機１０に対してＰＢＡＰでの無線通信を自動的に接続する（ステップＳ５）。
【００４１】
次いで、制御部２は、発信履歴データ、着信履歴データおよび不在着信履歴データの転送処理を開始するよう携帯電話機１０にデータ転送要求を送信し（ステップＳ６）、発信履歴データ、着信履歴データおよび不在着信履歴データの転送処理がなされ、車載ハンズフリー装置１は、これらデータを受信する（ステップＳ６）。制御部２は、この転送処理が終了すると、次に、電話帳データの転送処理を、携帯電話機１０に対して転送要求し、車載ハンズフリー装置１は、このデータを受信する（ステップＳ７）。この電話帳データの転送処理を終了すると、その接続しているＰＢＡＰでの無線通信を切断する（ステップＳ８）。
【００４２】
そして、制御部２は、そのＰＢＡＰでの無線通信を切断した携帯電話機１０に対してＨＦＰでの無線通信を再度、自動的に接続し（ステップＳ９）、ハンズフリー待受処理に移行する。このように本例では、ＨＦＰ→ＰＢＡＰ→ＨＦＰの順に無線通信をシリアルに自動的に切り替える。これにより、多数のメーカーのＨＦＰでの無線通信とＰＢＡＰでの無線通信とに対応した携帯電話機に対して、通信処理を確実に安定して行うことが可能となるし、車載ナビゲーション装置１でのソフトウェア処理を複雑化せずに済む。
【００４３】
これに対して、制御部２は、ＨＦＰでの無線通信接続に成功しなかった（失敗した）旨を判定すると（ステップＳ３にて「ＮＯ」）、優先順位が次位の携帯電話機１０が存在するか否かを判定し（ステップＳ１０）、優先順位が次位の携帯電話機１０が存在する旨を判定すると（ステップＳ１０にて「ＹＥＳ」）、その優先順位が次位の携帯電話機１０を無線通信の接続対象として選択し（ステップＳ１１）、上記したステップＳ２に戻り、上記した処理を繰返して行う。
【００４４】
ところで、制御部２は、上記した発信履歴データ、着信履歴データおよび不在着信履歴データの転送処理では、発信履歴データについては図３（ａ）に示すように携帯電話機１０から登録名、発信電話番号および発信日時からなる発信履歴データを受信して作業メモリ６に記憶させ、着信履歴データについては図４（ａ）に示すように携帯電話機１０から登録名、着信電話番号および着信日時からなる着信履歴データを受信して作業メモリ６に記憶させ、不在着信履歴データについては図５（ａ）に示すように携帯電話機１０から登録名、不在着信電話番号および不在着信日時からなる不在着信履歴データを受信して作業メモリ６に記憶させる。
【００４５】
そして、制御部２は、これ以降、発信履歴データ、着信履歴データおよび不在着信履歴データの表示要求があると、作業メモリ６に記憶されている発信履歴データ、着信履歴データおよび不在着信履歴データを表示部５に表示させ、つまり、作業メモリ６に記憶されている電話帳データから登録名を読出すことなく、携帯電話機１０から転送された登録名を表示部５に表示させる。
【００４６】
制御部２にて、Ｓ９でのＨＦＰでの無線通信接続が行われると、車載ナビゲーション装置１側の操作部４で、発信処理、着信処理を行うことが可能となる。そして、制御部２は、携帯電話機１０から発信履歴データ、着信履歴データおよび不在着信履歴データを受信した後（Ｓ９でのＨＦＰでの無線通信接続後）、操作部４の操作により、新たな発信処理、新たな着信処理および新たな不在着信処理を行い、その後に発信履歴データ、着信履歴データおよび不在着信履歴データの表示要求があると、携帯電話機１０から転送された電話帳データを使用し、その発信処理、着信処理および不在着信処理を行った発信電話番号、着信電話番号および不在着信電話番号に対応する登録名が、電話帳データに存在する場合には、その登録名を表示部５に表示させる（図３（ｃ）、図４（ｃ）、図５（ｃ）参照）。
【００４７】
つまり、制御部２は、新たな発信処理として、大森さんの電話番号へ発信処理した場合、電話帳データに大森さんの登録名が登録されている場合は、発信履歴データでは電話帳データから「大森○○」の登録名を読出して表示部５に表示させる。一方、制御部２は、新たな着信処理として、山岡さんから電話があった場合、この着信電話番号が電話帳データに登録されている場合は、着信履歴データでは電話帳データから「山岡○○」の登録名を読出して表示部５に表示させ、不在着信履歴データでは電話帳データから「金田○○」の登録名を読出して表示部５に表示させる。
【００４８】
また、制御部２は、発信履歴データ、着信履歴データおよび不在着信履歴データを纏めて最新の時刻順にしたがって表示する全履歴データの表示要求があると、着信履歴データおよび不在着信履歴データについては着信電話番号或いは不在着信電話番号が同一である（重複している）か否かに拘らず着信日時或いは不在着信日時が新しい方の着信履歴データおよび不在着信履歴データを全ての中から所定数選択して表示させる。一方、制御部２は、発信履歴データについては発信電話番号が同一である（重複している）発信履歴データのうち最新の発信履歴データのみを選択して表示させる（図６参照）。つまり、制御部２は、本実施形態では「吉田○○」の発信電話番号が重複しているので、発信日時が最新の発信履歴データ（発信日時が０８月１０日１２：１５の発信履歴データ）のみを表示させる。
【００４９】
次に、車載ナビゲーション装置１において、制御部２が携帯電話機１０から発信履歴データ、着信履歴データ、不在着信履歴データおよび電話帳データを受信させて記憶させ、その記憶された発信履歴データ、着信履歴データおよび不在着信履歴データを用いて発信する手順について、図７ないし図１６を参照して説明する。尚、ここでは、発信履歴データおよび着信履歴データについて説明するが、不在着信履歴データも同様である。
【００５０】
車載ナビゲーション装置１において、制御部２は、携帯電話機１０が車載ナビゲーション装置１のＢｌｕｅｔｏｏｔｈ通信圏内に存在しており、Ｂｌｕｅｔｏｏｔｈ通信部３が携帯電話機１０との間で通信回線を確立した旨を判定すると（ステップＳ２１にて「ＹＥＳ」）、携帯電話機１０から発信履歴データ、着信履歴データおよび電話帳データがＢｌｕｅｔｏｏｔｈ通信部３に自動転送される旨を待機する（ステップＳ２２）。
【００５１】
そして、制御部２は、携帯電話機１０から発信履歴データ、着信履歴データおよび電話帳データが自動転送された旨を判定すると（ステップＳ２２にて「ＹＥＳ」）、その携帯電話機１０から自動転送された発信履歴データ、着信履歴データおよび電話帳データを作業メモリ６に記憶させる（ステップＳ２３）。
【００５２】
この場合、制御部２は、携帯電話機１０から自動転送された発信履歴データや着信履歴データの件数がそれぞれ例えば２０件であり、作業メモリ６に記憶可能な発信履歴データや着信履歴データの件数がそれぞれ例えば５件であり、作業メモリ６に記憶可能な発信履歴データや着信履歴データの件数が携帯電話機１０から自動転送された発信履歴データや着信履歴データの件数よりも少ないので、以下の処理を行う。
【００５３】
すなわち、制御部２は、発信履歴データについては、携帯電話機１０から自動転送された発信履歴データのうち発信日時が古い発信履歴データを破棄し、携帯電話機１０から自動転送された２０件分の発信履歴データのうち発信日時が新しい５件分の発信履歴データを優先して作業メモリ６に携帯側発信履歴データとして記憶させる。また、制御部２は、着信履歴データについても発信履歴データと同様にして、着信履歴データのうち着信日時が古い着信履歴データを破棄し、携帯電話機１０から自動転送された２０件分の着信履歴データのうち着信日時が新しい５件分の着信履歴データを優先して作業メモリ６に携帯側着信履歴データとして記憶させる。
【００５４】
つまり、制御部２は、携帯電話機１０から発信履歴データが自動転送された直後では、作業メモリ６の発信履歴データとして、図９（ａ）に示す発信履歴データを保持し、この状態からユーザが発信履歴データを表示させる操作を行うと、図１１（ｂ）に示す表示画面を表示部５に表示させる。また、制御部２は、携帯電話機１０から着信履歴データが自動転送された直後では、作業メモリ６の着信履歴データとして、図１０（ａ）に示す着信履歴データを保持し、この状態からユーザが着信履歴データを表示させる操作を行うと、図１２（ｂ）に示す表示画面を表示部５に表示させる。
【００５５】
このようにして、携帯電話機１０と車載ナビゲーション装置１とがＢｌｕｅｔｏｏｔｈ通信回線を確立すると、携帯電話機１０がＢｌｕｅｔｏｏｔｈ通信回線を確立する前に記憶しておいた発信履歴データや着信履歴データが車載ナビゲーション装置１の作業メモリ６に自動転送され、携帯電話機１０と車載ナビゲーション装置１とが１つの電話システムを構成することになり、この電話システムによりハンズフリー通話を行うことが可能となる。そして、ユーザは、このようにして携帯電話機１０と車載ナビゲーション装置１とが１つの電話システムを構成した以降では、ダイアルキー入力による発信操作、発信履歴に
よる発信操作、着信履歴による発信操作および電話帳による発信操作のいずれかを選択して発信操作を行なうことが可能となり、携帯電話網からの着信を待機することが可能となる。
【００５６】
ここで、本例では、Ｂｌｕｅｔｏｏｔｈ通信の手順として、Ｓ５でＰＢＡＰでの無線通信接続→Ｓ８でＰＢＡＰでの無線通信を切断→Ｓ９でＨＦＰでの無線通信接続を行うシリアルなプロファイル切り替えを行っている。このため、Ｓ９でＨＦＰでの無線通信接続後において、携帯電話機１０に対して新たな着信があった場合、もしくは操作部３にて新たな発信処理が行われた場合、携帯電話機１０には、その着信および発信を含む着信履歴データ、発信履歴データは、結局、自己の履歴データであるため、自身のメモリに保持している。従って、車載ナビゲーション装置１の制御部２は、再度、携帯電話機１０から、これら最新の発着信履歴データを取得するために、ＨＦＰでの無線通信中にＰＢＡＰでの無線通信（同時接続）を行うことも可能である。
【００５７】
しかしながら、同時接続は、できる限り避けるという考え方からして、シリアル接続において、ＨＦＰでの無線通信接続を切断し、ＰＢＡＰでの無線通信接続を行うと、その間、ハンズフリー通話を行うために１つの電話システムを構成している、携帯電話機１０と車載ナビゲーション装置１とが実質、分離された状態となり、ハンズフリー通話が行えなくなる状態が発生する。そこで、本例では、Ｓ９でＨＦＰでの無線通信接続を行った場合、それ以降もＨＦＰでの無線通信接続のみで、最新の発着信履歴データを車載ナビゲーション装置１で自己取得し、自己管理するようにしている。以下、これについて説明する。
【００５８】
制御部２は、ユーザがダイアルキー入力による発信操作を行ったか否かを判定し（ステップＳ２４）、ユーザが発信履歴による発信操作を行ったか否かを判定し（ステップＳ２５）、ユーザが着信履歴による発信操作を行ったか否かを判定し（ステップＳ２６）、ユーザが電話帳による発信操作を行ったか否かを判定し（ステップＳ２７）、携帯電話網から着信したか否かを判定する（ステップＳ２８）。
【００５９】
ここで、制御部２は、ユーザがダイアルキー入力による発信操作を行った旨を判定すると（ステップＳ２４にて「ＹＥＳ」）、ユーザがダイアルキーにより入力した電話番号を発信電話番号として発信する発信処理を行う（ステップＳ２９）。そして、制御部２は、ダイアルキー入力による発信処理を終了すると、図９（ｂ）に示すように、その時点で作業メモリ６に記憶されている発信履歴データのうち発信日時が最古の発信履歴データを消去し（ステップＳ３０）、そのダイアルキー入力による発信を表す自装置の最新の発信履歴データを作業メモリ６に自己発信履歴データとして追加記憶させる（ステップＳ３１）。
【００６０】
すなわち、制御部２は、ユーザがダイアルキーを操作して例えば電話番号「０９００００００１００」を入力し、当該電話番号「０９００００００１００」を発信電話番号として発信する操作を行うと、図９（ｂ）に示すように、電話番号「０９００００００１００」を表す発信履歴データを作業メモリ６に自己発信履歴データとして追加記憶させる。この場合、制御部２は、電話番号「０９００００００１００」に対応する発信日時として車載ナビゲーション装置１のＧＰＳ装置が取得した日時をタイムスタンプとして記憶させる。つまり、図９（ｂ）では、最新の電話番号「０９００００００１００」の発信日時は車載ナビゲーション装置１のＧＰＳ装置が取得した日時であり、残りの４件の電話番号の発信日時は携帯電話機１０の時計部が取得した日時である。尚、制御部２は、この状態からユーザが発信履歴データを表示させる操作を行うと、図１１（ｃ）に示す表示画面を表示部５に表示させる。
【００６１】
また、制御部２は、ユーザが「履歴ボタン」４ａを押下し、続いて「発信履歴ボタン」
４ｂを押下したことにより、発信履歴による発信操作を行った旨を判定すると（ステップＳ２５にて「ＹＥＳ」）、作業メモリ６に記憶されている発信履歴データを参照し（ステップＳ３２）、作業メモリ６に記憶されている電話帳データを参照し（ステップＳ３３）、図１１（ｂ），（ｃ）に示すように、発信履歴による発信操作画面を表示部５に表示させる（ステップＳ３４）。この場合、制御部２は、発信履歴データの発信電話番号が電話帳データに登録されていれば、その電話番号に対応する登録名を表示部５に表示させ、一方、発信履歴データの発信電話番号が電話帳データに登録されていなければ、その電話番号を表示部５に表示させる。
【００６２】
次いで、制御部２は、そのうちからユーザが選択した電話番号を発信電話番号として発信する発信処理を行う（ステップＳ３５）。そして、制御部２は、発信履歴による発信処理を終了すると、この場合も、その時点で作業メモリ６に記憶されている発信履歴データのうち発信日時が最古の発信履歴データを消去し（ステップＳ３０）、その発信履歴による発信を表す自装置の最新の発信履歴データを作業メモリ６に自己発信履歴データとして追加記憶させる（ステップＳ３１）。この場合も、制御部２は、発信電話番号に対応する発信日時として車載ナビゲーション装置１のＧＰＳ装置が取得した日時をタイムスタンプとして記憶させる。
【００６３】
また、制御部２は、ユーザが「履歴ボタン」４ａを押下し、続いて「着信履歴ボタン」４ｃを押下したことにより、着信履歴による発信操作を行った旨を判定すると（ステップＳ２６にて「ＹＥＳ」）、作業メモリ６に記憶されている着信履歴データを参照し（ステップＳ３６）、作業メモリ６に記憶されている電話帳データを参照し（ステップＳ３７）、図１２（ｂ），（ｃ）に示すように、着信履歴による発信操作画面を表示部５に表示させる（ステップＳ３８）。この場合、制御部２は、着信履歴データの発信電話番号が電話帳データに登録されていれば、その電話番号に対応する登録名を表示部５に表示させ、一方、着信履歴データの発信電話番号が電話帳データに登録されていなければ、その電話番号を表示部５に表示させる。
【００６４】
次いで、制御部２は、そのうちからユーザが選択した電話番号を発信電話番号として発信する発信処理を行う（ステップＳ３９）。そして、制御部２は、着信履歴による発信処理を終了すると、この場合も、その時点で作業メモリ６に記憶されている発信履歴データのうち発信日時が最古の発信履歴データを消去し（ステップＳ３０）、その着信履歴による発信を表す自装置の最新の発信履歴データを作業メモリ６に自己発信履歴データとして追加記憶させる（ステップＳ３１）。この場合も、制御部２は、発信電話番号に対応する発信日時として車載ナビゲーション装置１のＧＰＳ装置が取得した日時をタイムスタンプとして記憶させる。
【００６５】
また、制御部２は、ユーザが「電話帳ボタン」４ｄを押下したことにより、電話帳による発信操作を行った旨を判定すると（ステップＳ２７にて「ＹＥＳ」）、作業メモリ６に記憶されている電話帳データを参照し（ステップＳ４０）、図１３（ｂ）に示すように、電話帳による発信操作画面を表示部５に表示させる（ステップＳ４１）。次いで、制御部２は、そのうちからユーザが選択した電話番号を発信電話番号として発信する発信処理を行う（ステップＳ４２）。そして、制御部２は、電話帳による発信処理を終了すると、この場合も、その時点で作業メモリ６に記憶されている発信履歴データのうち発信日時が最古の発信履歴データを消去し（ステップＳ３０）、その電話帳による発信を表す自装置の最新の発信履歴データを作業メモリ６に自己発信履歴データとして追加記憶させる（ステップＳ３１）。この場合も、制御部２は、発信電話番号に対応する発信日時として車載ナビゲーション装置１のＧＰＳ装置が取得した日時をタイムスタンプとして記憶させる。
【００６６】
さらに、制御部２は、携帯電話機１０から通信部３を介して、携帯電話網から着信した
旨を判定すると（ステップＳ２８にて「ＹＥＳ」）、着信を知らせるための報知等の着信処理を行い（ステップＳ４３）、着信処理が終了すると、その時点で作業メモリ６に記憶されている着信履歴データのうち着信日時が最古の着信履歴データを消去し（ステップＳ４４）、その着信を表す自装置の最新の着信履歴データを作業メモリ６に自己着信履歴データとして追加記憶させる（ステップＳ４５）。
【００６７】
すなわち、制御部２は、携帯電話網から電話番号「０９００００００２００」を着信電話番号としてＢｌｕｅｔｏｏｔｈ通信部３を経由して受信すると、電話番号「０９００００００２００」を表す着信履歴データを作業メモリ６に自己着信履歴データとして追加記憶させる。
【００６８】
このようにすることで、Ｓ９でのＨＦＰでの無線通信接続以降、ＰＢＡＰでの無線通信接続を行わなくとも、Ｓ９以降での新たな着信処理、発信処理があった場合、自己の発着信履歴データを追加し、ユーザーに表示させることが可能となる。この結果、やはり、ＨＰＦとＰＢＡＰとの同時接続を行わなくて済むし、Ｓ９でのＨＦＰ無線通信接続後、ＨＦＰ無線通信接続を切断し、ＰＢＡＰでの無線通信を接続する必要がなくなるので、１つの電話システムとなった携帯電話機１０と車載ナビゲーション装置１とが、実質分離するようなことが防止できる。
【００６９】
次に、ＰＢＡＰでの無線通信にて受信した発着信履歴データと、Ｓ９以降に発生した発信処理、着信処理にて発生した発着信履歴データの表示処理について説明する。
【００７０】
Ｓ９でＨＦＰ無線接続状態において、携帯電話機１０は、着信時に、着信電話番号を車載ナビゲーション装置１に送信するが、このとき着信日時情報を送信しない。そのため、制御部２は、電話番号「０９００００００２００」に対応する着信日時として車載ナビゲーション装置１のＧＰＳ装置が取得した日時をタイムスタンプとして記憶させる。つまり、図１０（ｂ）では、最新の電話番号「０９００００００２００」の着信日時は車載ナビゲーション装置１のＧＰＳ装置が取得した日時であり、残りの４件の電話番号の着信日時は携帯電話機１０の時計部が取得した日時である。尚、制御部２は、この状態からユーザが着信履歴データを表示させる操作を行うと、図１２（ｃ）に示す表示画面を表示部５に表示させる。
【００７１】
尚、以上は、作業メモリ６に記憶可能な発信履歴データや着信履歴データの件数が携帯電話機１０から自動転送された発信履歴データや着信履歴データの件数よりも少ない場合に、携帯電話機１０から自動転送された発信履歴データや着信履歴データのうち発信日時や着信日時が古い発信履歴データや着信履歴データを破棄し、携帯電話機１０から自動転送された発信履歴データや着信履歴データのうち発信日時や着信日時が新しい発信履歴データや着信履歴データを優先して作業メモリ６に記憶する場合を説明したが、ＰＢＡＰでの無線通信を接続するときに車載ナビゲーション装置１が携帯電話機１０に対して自動転送すべき件数（本実施形態では５件）を指定し、発信日時や着信日時が新しい発信履歴データや着信履歴データを優先して作業メモリ６に記憶するようにしても良い。
【００７２】
また、上記した構成では、車載ナビゲーション装置１において、新たな発信処理や新たな着信処理を行った場合に、作業メモリ６に記憶されている発信履歴データや着信履歴データのうち最古の発信履歴データや最古の着信履歴データを消去する場合を説明したが、ユーザの視点からすると、下記のような要望があるため、制御部２が以下に示す代替処理を行っても良い。これは、本例のように、Ｓ９以降、ＰＢＡＰでの無線通信接続を行わない場合に必要となる処理である。
【００７３】
すなわち、携帯電話機１０の時計部が計時する日時と、車載ナビゲーション装置１のＧＰＳ装置が取得した日時とを比較すると、携帯電話機１０の時計部が計時する日時はＧＰ
Ｓ装置が取得した日時に比べて誤差が多く正確でない場合があり、また、ユーザが任意に設定することが可能であるので、ユーザが意図的に所定時間分（例えば１０分）進めて設定したり逆に遅れて設定したりする場合がある。
【００７４】
したがって、仮にユーザが携帯電話機１０の日時を所定時間分進めて設定しており、車載ナビゲーション装置１が当該進められて設定された日時を作業メモリ６に記憶していたとすると、この状態から携帯電話機１０から自動転送された発信履歴データや着信履歴データと車載ナビゲーション装置１の自装置の発信履歴データや着信履歴データとを日時順にしたがって並替えると、車載ナビゲーション１での新たな発信処理や新たな着信処理を行った発信履歴データや着信履歴データが、時間軸では最新であるにも拘らず、一覧表示の表示画面で最上位の欄に表示されることなく、最上位の欄以外の欄（例えば２番目や３番目の欄）に表示されることとなる。これでは、ユーザが記憶している時間軸と表示部５が表示する時間軸とにずれを発生し、ユーザが違和感を抱いてしまうことになる。
【００７５】
このような不具合に対応すべく、制御部２は、携帯電話機１０から自動転送された発信履歴データや着信履歴データについては、それらのみの範囲内で最上位の欄以外の欄に日時順にしたがって並べて表示させ、自装置の新たな発信履歴データや新たな着信履歴データについては、最上位の欄に表示させる。これにより、ユーザが記憶している時間軸と調和して表示させることができ、ユーザに違和感を抱かせないようにすることができる。
【００７６】
尚、制御部２は、携帯電話機１０から自動転送された発信履歴データや着信履歴データを日時順にしたがって並べて表示させる場合に、その発信履歴データや着信履歴データに含まれる日時データで並び替えしなくとも、それら発信履歴データや着信履歴データに発信順を表す発信順データや着信順を表す着信順データが含まれている場合であれば、それら発信順データや着信順データに基づいて発信履歴データや着信履歴データを並べて表示させても良い。
【００７７】
また、発信順データ、着信順データが明示的に含まれていない場合でも、携帯電話機１０から、図３（ａ）、図４（ａ）、図５（ａ）のようなリスト形式でデータが送信され、車載ナビゲーション装置１で受信した場合、上位にあるデータほど、最新のデータであるというルールに基づき、表示させるようにしても良い。つまり、携帯電話機１０は、車載ナビゲーション装置１にて、現実の発信順、着信順を識別可能な形式で、データを送信する。
【００７８】
この場合、例えば、携帯電話機１０によっては、１２時００分００秒にＡさんから着信があり、１２時００分３０秒にＢさんから着信があった場合、タイムスタンプを秒でなく、分までとすると、全く同じの１２時００分となり、これが携帯電話機１０の着信履歴データとして記憶されている。そして、このデータを車載ナビゲーション装置１で受信し、時間順に並び替えたとしても、順位が決められないので、携帯電話機１０側で、発信順データ、着信順データを付与してもらったり、上記リスト形式で送信してもらうと都合が良い。これにより、ユーザが記憶している時間軸と調和して表示させることができ、ユーザに違和感を抱かせないようにすることができる。
【００７９】
これらの場合は、発信履歴データや着信履歴データに含まれる日時データは付属的なものとなり、上記した発信順データや着信順データがユーザの実際の着信順や発信順となる。尚、携帯電話機１０は、その単独動作において、着信処理や発信処理を繰り返すが、自分単独の動作であるため、これは発着信の順番は、把握できるため、その順番通りに、発着信履歴を管理することが可能である。このため、自己の時計部による発信日時、着信日時にとらわれずに、発信毎や着信毎に発信順データや着信順データを付与して車載ナビゲーション装置１に送信して、車載ナビゲーション装置１で着信順データ、発信順データに
基づいて発着信履歴データを並べるように処理する。もしくは発信順データや着信順データを付与せずに携帯電話機１０で実際の発信順、着信順を判断して構成した上記リストを、車載ナビゲーション装置１に送信し、車載ナビゲーション装置１では、上記ルールに従って、実際の発信、着信順に並べるように処理する。
【００８０】
このようにすれば、仮に、携帯電話機１０の時計が、あるタイミングで進めたり、遅くしたり設定すると、この直後に発信、着信が発生すると、携帯電話機１０での発信履歴表示、着信履歴表示は、実際の順どおり表示されるが、各データに付加される発信日時、着信日時は、この表示順とは異なることとなる。したがって、このような発着信履歴データを、車載ナビゲーション装置１で発信日時、着信日時を基準に並び替えすると、実際とは異なる順に表示される。このため、上記発信順データ、着信順データの手法、もしくはリスト形式の手法は、実際の発着信順とならべるには、最も好都合であると言える。
【００８１】
この結果、制御部２は、携帯電話機１０での実際の発信順通り、着信順通りに表示部４にデータを表示することができる。車載ナビゲーション装置１では、このようなデータ処理を行った後に、上記したように自己のダイアルキー入力での発信処理、発信履歴による発信処理、着信履歴による発信処理、電話帳データによる発信処理を行った場合、その時点で作業メモリ６に記憶されている発信履歴データのうち発信順データが最古の発信履歴データ、もしくは最古と見なされる発信履歴データを消去し、その発信履歴による発信を表す自装置の最新の発信履歴データを作業メモリ６に自己発信履歴データとして追加記憶させる。一方、制御部２は、新たな着信処理が発生した場合、その時点で作業メモリ６に記憶されている着信履歴データのうち着信順データが最古の発信履歴データ、もしくは最古と見なされる着信履歴データを消去し、その着信履歴による着信を表す自装置の最新の着信履歴データを作業メモリ６に自己着信履歴データとして追加記憶させる。
【００８２】
これらの発信処理、着信処理の場合、制御部２は、発信電話番号に対応する発信日時、着信電話番号に対応する着信日時として車載ナビゲーション装置１のＧＰＳ装置が取得した日時をタイムスタンプとして記憶させる。このように、ユーザが記憶している時間軸と調和して表示させることができ、ユーザに違和感を抱かせないようにすることができる。
【００８３】
ただし、制御部２は、発信履歴データ、着信履歴データを纏めて表示する全履歴データの表示要求があった場合、上記発信履歴データだけ、上記着信履歴データだけを表示する場合に比べて、所定のソート処理が必要となる。つまり、上述のように着信履歴データや発信履歴データを実際の時間軸通りに、携帯電話機１０から、発信順データや着信順データを含めて最新順が分かるように送信されたり、これらデータを含まずに上記リスト形式で送信された場合、上述のように車載ナビゲーション装置１は、受信したデータに含まれる発信日時、着信日時を基準とせずに、通知されたままの順に表示すると、発信履歴表示だけ、着信履歴表示だけの場合、携帯電話機１０での表示順どおりに表示したものとなる。
【００８４】
しかし、全履歴データを表示する場合、以下の問題が生じる。車載ナビゲーション装置１では、確かに発信履歴データのうち最新データと、着信履歴データのうち最新データとを把握できるが、実際に、二つの最新データのうち最新かは把握できない。そこで、本例では、全履歴データを表示する場合は、発信履歴データに含まれる発信日時、着信履歴データに含まれる着信日時を比較し、日時が最新の方を、最新データとして表示する。例えば、５件の着信履歴データと、５件の発信履歴データの場合、１０件を日時順にソートし、この順に表示する。これによって、ほとんとの場合、ほぼユーザの実際の時間軸通りに発信履歴データと着信履歴データを順に表示させることが可能となる。ただし、携帯電話機１０でのタイムスタンプ機能が「分」までであると、１２時００分００秒にＡさんから着信があり、１２時００分３０秒にＢさんへ発信した場合、発信日時と着信日時とは、全く同じの１２時００分となるため、車載ナビゲーション装置１では、この場合、発信を着信より最新として表示したり、その逆といった所定の並べ替え処理を行う必要がある。
【００８５】
また、ＰＢＡＰでの無線通信で受信した着信履歴データ３件（Ａ〜Ｃ）の最新順が上述のように把握でき、ＰＢＡＰで受信した発信履歴データ（Ｄ〜Ｆ）の最新順が把握できる場合、発信履歴データと着信履歴データの日時を、以下のように比較して、並べ替え処理を行う。
【００８６】
先ず、ＡとＤの日時を比較し、新しいものを１番目（例えばＡ）とし、次にＢとＤを比較し、新しいものを２番目（例えばＢ）とする。次に、ＣとＤとを比較し、新しいものを３番目（例えばＤ）とし、次にＣとＥの日時を比較し、新しいものを４番目（例えばＣ）とする。次に、残りのＥとＦとは、Ｅが最新なので、５番目をＥ、６番目をＦとする。この場合、比較した日時が同じである場合、所定の並べ替えルールとして、発信を着信より優先する、もしくはその逆といったように並べ替える。
【００８７】
また、携帯電話機１０では、電話帳データを転送する場合には当該電話帳データのデータ形式をＢｌｕｅｔｏｏｔｈ通信規格で規定されている「ｖＣａｒｄ」のデータフォーマットに変換して転送する必要があると共に、電話帳データが発信履歴データおよび着信履歴データに対して一般的にデータ更新の頻度が低いという事情がある。このことから、制御部２は、携帯電話機１０から発信履歴データおよび着信履歴データをＢｌｕｅｔｏｏｔｈ通信部３により先に受信し、その後、携帯電話機１０から電話帳データをＢｌｕｅｔｏｏｔｈ通信部３により受信しても良い。また、制御部２は、携帯電話機１０から発信履歴データおよび着信履歴データをＢｌｕｅｔｏｏｔｈ通信部３により受信し、その後、ユーザが操作部４にて所定操作を行った場合に限って携帯電話機１０から電話帳データをＢｌｕｅｔｏｏｔｈ通信部３により受信しても良い。
【００８８】
また、このようなユーザ操作での電話帳データを転送させるか自動転送させるかは、車載ナビゲーション装置１においてユーザが手動転送あるいは自動転送を選択して設定しておき、この設定に応じて転送処理を行うようにしても良い。自動転送による設定を「転送しない」に設定した状態で、Ｓ９でのＨＦＰでの無線接続後に、ユーザによって手動転送操作を行って、電話帳データのみを転送するようにすることもできる。ただし、この手動転送操作によって、Ｓ９でのＨＦＰでの無線通信接続は、切断され、ＰＢＡＰでの無線通信接続がなされることとなり、データ転送が終了すると、再度、その携帯電話機１０に対してＨＦＰでの無線通信を接続し、ハンズフリー通話を可能な状態とする。
【００８９】
この「転送しない」と設定した場合、データ更新の頻度が高い発信履歴データや着信履歴データをデータ更新の頻度が低い電話帳データよりも優先して受信することができ、また、発信履歴データや着信履歴データを転送するにはデータ変換が必要でないものの電話帳データを転送するにはデータ変換が必要であるという事情から、転送時間が短い発信履歴データや着信履歴データを転送時間が長い電話帳データよりも優先して受信することができる。そして、発信履歴データ、着信履歴データのみを転送することで、転送するデータ量を低減できる。この結果、転送プロトコルでの通信を早期に行え、その後のハンズプロトコルでの通信を早期に行えることができるため、携帯電話機を車両に持ち込んだ場合に、ハンズフリー通話を行うまでの時間を短縮できる。さらに、データ更新の頻度が低く且つ転送時間が長い電話帳データを受信するか否かを、必要に応じて選択することができ、利便性を高めることができる。
【００９０】
ユーザの上記手動転送操作により、必要に応じて電話帳データを転送した場合、転送が終了すると、自動的にハンフリープロトコルでの通信を実行するため、その電話帳データを利用して、発信する際、ハンズフリー通話を行うことが可能となり、利便性が向上する
。そして、さらには、手動転送操作による電話帳データの転送を行った場合には、電話帳データだけは不揮発性の記憶メモリ７に記憶しておき、記憶されたデータは次回の車載ナビゲーション装置１の起動時に記憶メモリ７から読出して電話帳データとして利用すると良い。
【００９１】
また、制御部２は、携帯電話機１０から受信した発信履歴データ、着信履歴データおよび電話帳データを当該携帯電話機１０毎に区別して作業メモリ６に記憶させても良い。この場合、制御部２は、携帯電話機１０と作業メモリ６に記憶させているデータとを例えば以下のようにして対応付ける。すなわち、携帯電話機１０から受信した発信履歴データ、着信履歴データおよび電話帳データを作業メモリ６に記憶させるときに、携帯電話機１０から受信した当該携帯電話機１０に個別に付与されている携帯電話機ＩＤと車載ハンズフリー装置１に個別に付与されている装置ＩＤとに基づいてリンクキーを生成し、その生成したリンクキーと各種データと対応付けて作業メモリ６に記憶させる。そして、制御部２は、これ以降に、携帯電話機１０から携帯電話機ＩＤを受信すると、その受信した携帯電話機ＩＤと装置ＩＤとに基づいてリンクキーを再度生成し、その生成したリンクキーに対応付けられて作業メモリ６に記憶されている各種データを更新する。
【００９２】
次に、Ｓ２でのＨＦＰ処理について詳述する。Ｓ２でのＨＦＰおよびＰＢＡＰの接続を図１５に示すフローチャートにしたがって制御する。すなわち、制御部２は、Ｂｌｕｅｔｏｏｔｈ通信圏内に存在する携帯電話機１０との間で通信回線を確立した旨を判定すると、ＨＦＰでの無線通信接続（起動）し（ステップＳ５１）、携帯電話機１０が通話中にあるか否かを判定する（ステップＳ５２）。尚、携帯電話機１０が通話中であるか待受中であるかは、ＨＦＰでの無線通信で通知され、車載ナビゲーション装置１が受信し、この受信した通信状態によって判断する。尚、Ｓ５１は、Ｓ２の処理に対応している。
【００９３】
ここで、制御部２は、携帯電話機１０が通話中にない旨なった、つまり着信を待ち受ける待受中となったことを、判定すると（ステップＳ５２にて「ＮＯ」）、接続しているＨＦＰでの無線通信を切断（終了）し（ステップＳ５４）、ＰＢＡＰでの無線通信を接続する（ステップＳ５５）。つまり、制御部２は、携帯電話機１０が通話中でなければ、接続したＨＦＰでの無線通信を速やかに自動的に切断してＰＢＡＰでの無線通信を自動接続することにより、携帯電話機１０から送信された発信履歴データ、着信履歴データおよび電話帳データをＢｌｕｅｔｏｏｔｈ通信部３により受信させることになる。
【００９４】
これに対して、制御部２は、携帯電話機１０が通話中にある旨を判定すると（ステップＳ５２にて「ＹＥＳ」）、その通話を車載ナビゲーション装置１を用いたハンズフリー通話を実行する可能性があるとして、ＨＦＰでの無線通信を維持する。尚、この通話を実行するかどうかは、基本的には、携帯電話機１０に依存し、携帯電話機１０が通話中にＨＦＰでの無線通信接続すると、自動的に、Ｂｌｕｅｔｏｏｔｈ通信部３に受話音声を送信する場合もあれば、一方、携帯電話機１０での操作によってＢｌｕｅｔｏｏｔｈ通信部３に受話音声を送信する場合もある。
【００９５】
そして、制御部２は、携帯電話機１０が通話を終了したか否かを判定し（ステップＳ５３）、携帯電話機１０が通話を終了した旨を判定すると（ステップＳ５３にて「ＹＥＳ」）、接続しているＨＦＰでの無線通信を切断（終了）し（ステップＳ５４）、ＰＢＡＰでの無線通信を接続する（ステップＳ３５）。つまり、制御部２は、携帯電話機１０が通話中であれば、接続したＨＦＰでの無線通信を当該通話が終了した後に切断してＰＢＡＰでの無線通信を接続することにより、ユーザがハンズフリー通話を終了した後に携帯電話機１０から送信された発信履歴データ、着信履歴データおよび電話帳データをＢｌｕｅｔｏｏｔｈ通信部３により受信させることになる。尚、Ｓ５２、Ｓ５３は、Ｓ３とＳ４との間の処理に対応している。
【００９６】
このように携帯電話機１０が車載ナビゲーション装置１に接続される場合、その携帯電話機１０が通話中かどうか判断し、通話中であるならば、ＰＢＡＰでの無線通信接続に切り替えると、ハンズフリー通話に移行できないため、ＨＦＰでの無線通信を維持し、通話中はＰＢＡＰでの無線通信接続を行わない。そして、通話が終了したと判断されると、ＨＦＰでの無線通信を切断し、ＰＢＡＰでの無線通信接続を行う。この結果、携帯電話機１０が単独で通話している場合、スムーズにハンズフリー通話に切り替えることが可能となる。
【００９７】
また、制御部２は、携帯電話機１０から着信履歴データとして応答した着信履歴と応答しなかった着信（不在着信）履歴とを区別して受信して記憶するようにしても良い。この場合、制御部２は、ユーザが「履歴ボタン」４ａを押下し、続いて「着信履歴ボタン」４ｃを押下したことにより、着信履歴による発信操作を行った旨を判定すると、作業メモリ６に記憶されている着信履歴データを参照し、作業メモリ６に記憶されている電話帳データを参照し、図１６（ｂ），（ｃ）に示すように、着信履歴による発信操作画面を表示部５に表示させるが、応答した着信である旨を表すアイコン図形（受話器と矢印との組合わせからなる図形）および応答しなかった着信（不在着信）である旨を表すアイコン図形（受話器と×印との組合わせからなる図形）のうちいずれかをデータ毎に表示させる。
【００９８】
尚、以上は、携帯電話機１０から転送された発信履歴データ、着信履歴データおよび電話帳データが作業メモリ６に記憶される場合や電話帳データのみが記憶メモリ７に記憶される場合を説明したが、携帯電話機１０から転送された発信履歴データ、着信履歴データおよび電話帳データが記憶メモリ７に記憶される構成であっても良く、そのような構成では、装置電源がオフされた場合であっても、記憶メモリ７に記憶された発信履歴データ、着信履歴データおよび電話帳データは記憶保持されることになる。
【００９９】
以上に説明したように本実施形態によれば、本例での車載ナビゲーション装置１は、ＨＦＰ、ＰＢＡＰでのより確実な処理手順として、ＨＦＰとＰＢＡＰとの同時接続をできる限り無くすため、ＨＦＰとＰＢＡＰとは時間的に分割したシリアル接続を行うことで、多数のメーカーのＨＦＰとＰＢＡＰとに対応した携帯電話機に対して、通信処理を確実に安定して行うことが可能となる。また、車載ハンズフリー装置１での処理を複雑にせず、簡素な処理でＰＢＡＰとＨＦＰとの処理を実行することが可能となる。
【０１００】
また、ＰＢＡＰでの無線通信の切断後のＨＦＰでの無線通信接続時に、携帯電話網への発信または携帯電話網からの着信を行うと、その時点で作業メモリ６に記憶している発信履歴データや着信履歴データのうち発信日時や着信日時が最古の発信履歴データや着信履歴データを消去し、自装置の発信履歴データや着信履歴データを作業メモリ６に追加記憶するように構成したので、携帯電話網への発信または携帯電話網からの着信を行う毎に、自装置の最新の発信履歴データや着信履歴データを記憶しておくことができる。
【０１０１】
また、携帯電話機１０との間で通信回線を確立した後に、Ｓ２にてＨＦＰを接続した後に当該携帯電話機１０が通話中であるか否かを判定し、当該携帯電話機１０が通話中であるときには当該通話が終了した後に、ＰＢＡＰでの無線通信を接続して当該携帯電話機１０から発信履歴データ、着信履歴データおよび電話帳データを受信するように構成すれば、携帯電話機１０からの発信履歴データ、着信履歴データおよび電話帳データの転送による影響を受けることなくハンズフリー通話を行うことができる。
【０１０２】
また、車載ナビゲーション装置１において、携帯電話機１０との間でＢｌｕｅｔｏｏｔｈ通信回線を確立し、当該携帯電話機１０がＢｌｕｅｔｏｏｔｈ通信回線を確立する前に記憶した発信履歴データや着信履歴データを当該携帯電話機１０から受信すると、その発信履歴データや着信履歴データを自装置の発信履歴データや着信履歴データと同等に作業メモリ６に記憶し、これ以降、作業メモリ６に記憶した発信履歴データや着信履歴データによる発信操作を可能とするように構成したので、携帯電話機１０から自動転送された発信履歴データや着信履歴データのうちから所望の電話番号を選択して発信することができると共に、自装置の発信履歴データや着信履歴データのうちからも所望の電話番号を選択して発信することができ、利便性を高めることができる。
【０１０３】
また、発信履歴データや着信履歴データの表示要求が発生すると、作業メモリ６に発信履歴データや着信履歴データとして記憶されている発着信電話番号と同じ電話番号が記憶していれば、当該電話番号に対応する登録名を表示するように構成したので、携帯電話機１０から受信した発信履歴データや着信履歴データを電話帳データに記憶している登録名により表示することができる。
【０１０４】
また、発信処理を行う毎に、発信履歴データを一覧表示する表示画面にあって自装置の発信履歴データを発信日時が最新の発信履歴データとして表示したり、着信処理を行う毎に、着信履歴データを一覧表示する表示画面にあって自装置の着信履歴データを着信日時が最新の着信履歴データとして表示したりするように構成したので、携帯電話機１０が取得する日時と車載ナビゲーション装置１が取得する日時とが一致しておらず、携帯電話機１０から自動転送された発信履歴データの発信日時や着信履歴データの着信日時と自装置の発信履歴データの発信日時や着信履歴データの着信日時とが時間軸で一致していない場合であっても、機器間の日時のずれによってユーザが違和感を抱いてしまうことを未然に回避することができる。
【０１０５】
また、発信履歴データ、着信履歴データおよび電話帳データを携帯電話機１０毎に区別して作業メモリ６に記憶するように構成すれば、携帯電話機１０毎に発信履歴データ、着信履歴データおよび電話帳データを管理することができる。また、発信履歴データ、着信履歴データおよび電話帳データを携帯電話機１０毎に区別して記憶メモリ７に記憶するように構成すれば、装置電源がオンする毎に携帯電話機１０から電話帳データを受信する必要がなく、ユーザが自身の携帯電話機１０に対応して記憶保持されている電話帳データを速やかに利用することができ、電話帳機能を使用するときの利便性を格段に高めることができる。
【０１０６】
さらに、発信履歴データ、着信履歴データおよび不在着信履歴データを纏めて全履歴データとして表示する場合に、発信電話番号が同一の（重複する）発信履歴データについては発信日時が最新の電話番号のみを表示するように構成したので、履歴情報を増大させることができる。
【０１０７】
（その他の実施形態）
本発明は、上記した実施形態にのみ限定されるものではなく、以下のように変形または拡張することができる。
【０１０８】
車載ハンズフリー装置は、ハンズフリー機能を主として実現するハンズフリー専用装置から構成されていても良いし、ＣＤやラジオを再生する車両用オーディオ装置にハンズフリー機能を搭載した装置であっても良い。また、車載ナビゲーション装置１がポータブル性を有する（可搬タイプの）構成であっても良い。
【０１０９】
携帯電話機１０と車載ナビゲーション装置１とがＢｌｕｅｔｏｏｔｈ通信を行う構成に限らず、他の近距離無線通信を行う構成であっても良く、また、有線通信を行う構成であっても良い。
【０１１０】
携帯電話機１０から受信した発信履歴データ、着信履歴データおよび電話帳データを記憶メモリ７に記憶し、携帯電話機１０から発信履歴データ、着信履歴データおよび電話帳
データを受信する毎に発信履歴データ、着信履歴データおよび電話帳データを更新記憶する構成であっても良い。また、携帯電話機１０から受信した発信履歴データ、着信履歴データおよび電話帳データを作業メモリ６と記憶メモリ７との双方に記憶し、記憶メモリ７をバックアップメモリとして使用する構成であっても良い。
【０１１１】
作業メモリ６に記憶可能な発信履歴データや着信履歴データの件数は１件であっても良い。この場合は、車載ナビゲーション装置１での発信処理、着信処理があると、必ずＰＢＡＰでの無線通信接続で受信した発信履歴データ、着信履歴データが消去されることとなる。
【０１１２】
また、車載ナビゲーション装置１において、複数の発信履歴データ、複数の着信履歴を同時に表示するようにしたが、１件ずつ表示するようにしても良い。この場合、例えば、先ず、最初に、最新のデータを表示し、操作部３の操作により、次に最新のデータを順に表示するようにしても良い。
【０１１３】
作業メモリ６に記憶可能な発信履歴データや着信履歴データの件数は１件であっても良い。この場合は、車載ナビゲーション装置１での発信処理、着信処理があると、必ずＰＢＡＰでの無線通信接続で受信した発信履歴データ、着信履歴データが消去されることとなる。
【０１１４】
携帯電話機１０と車載ナビゲーション装置１とがＢｌｕｅｔｏｏｔｈ通信回線を確立した場合に、発信履歴データや着信履歴データを自動転送する構成に限らず、ユーザが車載ナビゲーション装置１や携帯電話機１０を操作することを条件として発信履歴データや着信履歴データや電話帳データを転送する構成であっても良い。
【０１１５】
携帯電話機１０から受信した発信履歴データ、着信履歴データおよび電話帳データを当該携帯電話機１０毎に区別して作業メモリ６に記憶させる場合に、携帯電話機１０と作業メモリ６に記憶させているデータとをリンクキーを生成する方法により対応付ける構成に限らず、両者を他の方法により対応付ける構成であっても良い。
【符号の説明】
【０１１６】
図面中、１はハンズフリー機能付き車載ナビゲーション装置（車載ハンズフリー装置）、２は制御部（制御手段、判定手段、表示制御手段、転送プロトコル制御手段、転送プロトコル切断手段、ハンズフリープロトコル制御手段、初期ハンズフリープロトコル通信手段、通信維持手段、電話帳転送設定手段、データ転送指定手段、手動転送プロトコル指示
手段、３は通信部（発信履歴データ受信手段、着信履歴データ受信手段、データ受信手段）、４は操作部（操作手段）、５は表示部（表示手段）、６は作業メモリ（発信履歴データ記憶手段、着信履歴データ記憶手段、データ記憶手段）、１０はＢｌｕｅｔｏｏｔｈ通信機能付き携帯電話機（携帯電話機）である。
【図１】
0005527371.tif 000002
【図２】
0005527371.tif 000003
【図３】
0005527371.tif 000004
【図４】
0005527371.tif 000005
【図５】
0005527371.tif 000006
【図６】
0005527371.tif 000007
【図７】
0005527371.tif 000008
【図８】
0005527371.tif 000009
【図９】
0005527371.tif 000010
【図１０】
0005527371.tif 000011
【図１１】
0005527371.tif 000012
【図１２】
0005527371.tif 000013
【図１３】
0005527371.tif 000014
【図１４】
0005527371.tif 000015
【図１５】
0005527371.tif 000016
【図１６】
0005527371.tif 000017